(57)【要約】      （修正有）【課題】常時身の回りに保管している筆記具の軸筒先端開口部側に平板を備  え、軸筒後端部側にカッターナイフを備え付けることで、梱包物を開封する際に内容物を傷つけることなく開封できるようにした筆記具を提供する。【解決手段】粘着テープを切断するために筆記具５の軸筒先端開口部１の外周には軸筒３の中心線に対し垂直に交わる方向を尖らせ、その部分の長さを一定の範囲内とした構造を持つ平板２を備え、紐を切断するために軸筒後端部にはカッターナイフ４を備え付けることで、筆記具５と平板２とカッターナイフ４とを一体化する。なお、筆記具が複式筆記具の場合には、軸筒先端開口部外周の平板は軸筒３中に収納されている複数の筆記体の中のひとつのペン先を軸筒先端開口部から一定の長さをだけ突き出ることができる構造の平板に置き換えてもよい。【選択図】図１
0003161824.tif 000002
【実用新案登録請求の範囲】
【請求項１】
軸筒先端開口部の外周には軸筒中心線に対し垂直に交わる方向の一部を尖らせ、そ    の尖らせた部分の長さを軸筒中心線方向で１〜３ｍｍの範囲内にあるようにした平板    を備え、軸筒後端部にはカッターナイフを備え付けた筆記具
【請求項２】
軸筒中に収納されている複数の筆記体の中のひとつのペン先を軸筒中心線に対し垂    直に交わる方向の一部を尖らせた構造とした平板と置き換え、該筆記体を軸筒先端開    口部側へ突き出させた時に該平板の尖らせた部分の長さが１〜３ｍｍの範囲で前記軸    筒先端開口部から突き出るようにし、軸筒後端部にはカッターナイフを設けた複式筆    記具
【考案の詳細な説明】
【技術分野】
【０００１】
本考案は、軸筒先端開口部側に粘着テープを切断するための平板を設け、軸筒後端部
側にカッターナイフを設けた筆記具に関するものである。
【背景技術】
【０００２】
紐で梱包された梱包物を開封する際には紐を切るためにカッターナイフやはさみを用  い、粘着テープで貼り付けられた梱包物を開封する際には梱包物の突合せ部分に貼られ  た粘着テープの上にカッターの刃やはさみの刃を押し付けて挿入し移動させて切断する  のが一般的だが、カッターナイフやはさみは必要な時に見つからないことがあり、身の  回りに保管していることが多い筆記具にカッターの刃を付けたものやペン先をカッター  の刃と置き換えたもの、あるいは突起をペン先に設けたものが提案されている。ボール  ペンの頭部に凹状に湾曲したカッターの刃を付けた例として特開２００７−１３６９２  ９があり、ペン先をカッターの刃と置き換えた例として特開平１０−２９１３９５があ  る。またガムテープを突き刺し切り裂くための突起をペン先に設けた例として特開２０  ０３−２５１９９４がある。
【先行技術文献】
【特許文献】
【０００３】
【特許文献１】特開２００７−１３６９２９  公報
【特許文献２】特開平１０−２９１３９５  公報
【特許文献３】特開２００３−２５１９９４  公報
【考案の概要】
【考案が解決しようとする課題】
【０００４】
紐で梱包された梱包物を開封する際には紐を切るためにカッターナイフやはさみを用  いるが、粘着テープで梱包された梱包物を開封する際にカッターナイフやはさみを用い  ると、カッターの刃やはさみの刃を梱包物の突合せ部分に貼られた粘着テープの上に押  し付けて挿入し移動させて切断しようとするために刃が深く入り過ぎてダンボールのよ  うな梱包物のみならず内容物まで傷つけてしまうことがあった。ペン先に突起を設け突  き刺し切り裂く方法も同様である。従って身に付けていたり職場や自宅あるいはカバン  の中などに置き常時身の回りに保管している筆記具の軸筒先端開口部の外周に粘着テー  プを切断するための一定の長さを持つ平板を備え付けるか、あるいは軸筒先端開口部か  ら一定の長さだけ突き出る構造の平板とし、軸筒後端部には紐を切るためのカッターナ  イフを備え付けることで前述の問題を解決しようとするものである。
【課題を解決するための手段】
【０００５】
本考案は、粘着テープを切断するために筆記具の軸筒先端開口部の外周には軸筒中心  線に対し垂直に交わる方向の一部を尖らせ、その部分の長さを一定の範囲内とした構造  を持つ平板を備え、紐を切断するために筆記具の軸筒後端部にはカッターナイフを備え  付けることで、筆記具と平板とカッターナイフとを一体化して問題点を解決している。
【０００６】
なお、筆記具が複式筆記具の場合には、軸筒先端開口部の外周を平板とせずに、軸筒  中に収納されている複数の筆記体の中のひとつのペン先を軸筒先端開口部から一定の長  さだけ突き出ることができる構造の平板に置き換えてもよい。
【考案の効果】
【０００７】
上述のように、本考案は梱包物の紐を切るためのカッターナイフと粘着テープを切断  するための平板と常時身の回りに保管している筆記具とを一体化したので、突然、梱包  物を開封することになっても容易に開封することができ、しかも紐のみならず粘着テー  プで梱包されている梱包物を開封する際には平板を用いて開封することで内容物を傷つ  けることなく開封できる。
【図面の簡単な説明】
【０００８】
【図１】本考案の軸筒先端開口部の外周を平板としカッターナイフと一体化した筆              記具の実施例を示す一部断面図を含む正面図
【図２】図１の平面図
【図３】図１の軸筒先端開口部の拡大図
【図４】本考案の筆記具が複式筆記具の場合の実施例を示す一部断面図を含む正面              図
【図５】図４の平面図
【図６】図４において平板を軸筒先端開口部から突き出させた時の軸筒先端開口部              の拡大図
【考案を実施するための形態】
【実施例】
【０００９】
以下、添付図面に従って実施例を説明する。図１、図２、図３は軸筒先端開口部１の
外周に平板２を備え付け、軸筒３の軸筒後端部にカッターナイフ４を備え付けた筆記具  ５の実施例である。
平板２は軸筒先端開口部１の外周に設けて、軸筒中心線１２に対し垂直に交わる方向の  一部を尖らせ、その尖らせた部分の長さを軸筒中心線１２方向で１〜３ｍｍの範囲内に  なるようにしたものである。長さが１ｍｍ未満では厚さのある粘着テープを切断し難く、  ３ｍｍを超すと指を切るなどの安全上の問題が高まるのと切断時に平板２が深く入り過  ぎて内容物を傷つける恐れがあるためである。なお図４、図５、図６に示す複式筆記具  １３の場合の軸筒先端開口部１から突き出る平板２も同様である。すなわち軸筒先端開  口部１から突き出る部分の平板２はすべて尖らせた部分であり、かつ、その長さが１ｍ  ｍ未満では厚さのある粘着テープを切断し難く、３ｍｍを超すと安全上の問題と内容物  を傷つける恐れがある。更に平板２の強度が弱くなり、平板２自体や軸筒先端開口部１  や筆記体６を破損する危険性も加わる。
平板２と軸筒３とは材質が樹脂性の場合、射出成形により一体成形されるが、平板２の  みを金属性の材質とした場合には樹脂性の軸筒３と接着もしくはネジ込み式により接続  固定し一体化してもよい。
【００１０】
なお筆記体６はノック式ボールペンであり、実開平６−４６９８２や特開平６−３１  ６１９５に記載されているように、操作部７をノックして動かすことで操作部７が矢印  イ及びロ方向に動き筆記体６および操作部７に接続されている図示していない係止突起  部が軸筒３の内側に僅かに突出するように設けられた係合部に係合しペン先８が軸筒先  端開口部１より突き出て固定保持され筆記可能な状態となったり、係脱しペン先８が軸  筒３内に収納保持される状態となる。
【００１１】
またカッターナイフ４は繰り出し折り刃方式のものであり、特開平５−３０５１８７  に記載されているように、カッター本体９内の図示していないスライド溝の側面にはカ  ッター刃１０の進退方向に設けた係合凹部が一定間隔で連続して形成されている。この  スライド溝にスライダー１１が図示していない板バネと共に挿入されカッター刃１０と  連結しているので、スライダー１１を進退させると板バネと係合凹部が係合係脱を繰り  返し、カッター刃１０もそれに合わせて進退することで、切断する状態あるいは収納し  て安全に保持できる状態となる。なお筆記具５とカッターナイフ４とは材質が樹脂性の  場合、射出成形により一体成形される。
【００１２】
図４、図５、図６はボールペンを複式筆記具１３の場合にした時の実施例である。軸  筒３の中に収納されている複数の筆記体６の中のひとつのペン先８を軸筒中心線１２に  対し垂直に交わる方向の一部を尖らせた構造とした金属性の平板２と置き換え、筆記体  ６と接着もしくはネジ込み式により接続固定し一体化している。
なお筆記体６の固定収納保持の方法やカッターナイフ４の構造およびカッター刃１０の  進退方法、平板２の軸筒先端開口部１から突き出る長さや形状は図１、図２、図３で説  明した通りである。
【符号の説明】
【００１３】
１    軸筒先端開口部
２    平板
３    軸筒
４    カッターナイフ
５    筆記具
６    筆記体
７    操作部
８    ペン先
９    カッター本体
１０  カッター刃
１１  スライダー
１２  軸筒中心線
１３  複式筆記具
【図１】
0003161824.tif 000003
【図２】
0003161824.tif 000004
【図３】
0003161824.tif 000005
【図４】
0003161824.tif 000006
【図５】
0003161824.tif 000007
【図６】
0003161824.tif 000008